(57)【要約】【課題】カードと人物を関連付けし、時間的遅延なく同期でき、空間的な限定性を利用した入退室管理システム構造を提供する。【解決手段】本発明に係る入退室管理システム構造およびその装置は、空間的な限定性と時間的な同期を利用し、偽造できない生物的特徴と、配られる管理カードまたはそれに準ずるアクセサリを安全に組み合わせることで、各種管理およびサービスの信頼性の基礎とするものである。本発明に係る装置は、カードリーダーモジュールと、同期的に作動する顔面画像データを自動で撮影する撮影装置と、空間的な限定性を持つ通路またはゲートによって、同期作業およびシームレスな情報連結を可能とする。【選択図】図４
2013214276.tif 000002
【特許請求の範囲】
【請求項１】
入退室管理システム構造であって、
入退室管理装置と、
外部の人員管理センターシステムと、
を含み、使用者が携帯する身分管理カードと組み合わせることで作動し、これにより管理ゲートの開閉を制御し、
前記身分管理カードは前記管理ゲートに対応する識別情報を有し、
前記入退室管理装置は前記身分管理カードの前記識別情報を読み取るカードリーダーモジュールと、
前記カードリーダーモジュールが前記識別情報を読み取った時、使用者を撮影し使用者情報を取得する撮影装置と、
前記カードリーダーモジュールと前記撮影装置と電気的に接続され、前記識別情報と前記使用者情報を前記人員管理センターシステムに送信する情報送受信モジュールとを備え、
前記人員管理センターシステムは前記識別情報と前記使用者情報の関連付けを行い、或いは前記識別情報と前記使用者情報の関連付けの解除を行うことを特徴とする入退室管理システム構造。
【請求項２】
前記人員管理センターシステムは人物とカードの関連付け登録処理を行うことができ、前記識別情報と前記使用者情報の関連付けを行い、前記管理ゲートは一度に一人のみが通ることのできる管理ゲートであることを特徴とする請求項１記載の入退室管理システム構造。
【請求項３】
前記人員管理センターシステムは人物とカードの関連付け解除処理を行うことができ、前記識別情報と前記使用者情報の関連付けの解除を行うことを特徴とする請求項１記載の入退室管理システム構造。
【請求項４】
前記撮影装置は前記カードリーダーモジュールの付近に設置されることを特徴とする請求項１記載の入退室管理システム構造。
【請求項５】
前記撮影装置は前記管理ゲートの付近に設置されることを特徴とする請求項１記載の入退室管理システム構造。
【請求項６】
前記使用者情報は使用者の顔面画像データであることを特徴とする請求項１記載の入退室管理システム構造。
【請求項７】
前記入退室管理装置は更に警告モジュールを備え、前記識別情報と前記使用者情報が関連付けされていない時、警告信号を発することを特徴とする請求項１記載の入退室管理システム構造。
【請求項８】
使用者が携帯する身分管理カードと外部の人員管理センターシステムを組み合わせることにより作動し管理ゲートの開閉を制御する入退室管理装置であって、
前記身分管理カードは前記管理ゲートに対応する識別情報を有し、前記入退室管理装置は更に、
前記身分管理カードの前記識別情報を読み取るカードリーダーモジュールと、
前記カードリーダーモジュールが前記識別情報を読み取った時、使用者を撮影し使用者情報を取得する撮影装置と、
前記カードリーダーモジュールと前記撮影装置と電気的に接続され、前記識別情報と前記使用者情報を前記人員管理センターシステムに送信する情報送受信モジュールと、
を備え、これにより前記人員管理センターシステムは前記識別情報と前記使用者情報の関連付け或いは前記識別情報と前記使用者情報の関連付けの解除を行うことを特徴とする入退室管理装置。
【請求項９】
前記撮影装置は前記カードリーダーモジュールの付近に設置され、前記管理ゲートは一度に一人のみが通ることのできる管理ゲートであることを特徴とする請求項８記載の入退室管理装置。
【請求項１０】
前記撮影装置は前記管理ゲートの付近に設置されることを特徴とする請求項８記載の入退室管理装置。
【請求項１１】
前記使用者情報は使用者の顔面画像データであることを特徴とする請求項８記載の入退室管理装置。
【請求項１２】
前記入退室管理装置は更に警告モジュールを備え、前記識別情報と前記使用者情報が関連付けされていない時、警告信号を発することを特徴とする請求項８記載の入退室管理装置。
【請求項１３】
前記入退室管理装置は更に、前記管理ゲートの開閉を制御するロック制御モジュールを備えることを特徴とする請求項８記載の入退室管理装置。
【請求項１４】
使用者が携帯する身分管理カードと組み合わせることにより作動する入退室管理装置であって、
前記身分管理カードは前記管理ゲートに対応する識別情報を有し、前記入退室管理装置は更に、
前記識別情報を読み取るカードリーダーモジュールと、
使用者が一度に一人のみが通ることのできる前記管理ゲートを通った時、使用者を撮影し使用者情報を取得する撮影装置と、
前記カードリーダーモジュールと前記撮影装置と電気的に接続され、前記識別情報と前記使用者情報を外部の人員管理センターシステムに送信する情報送受信モジュールとを備え、これにより前記識別情報と前記使用者情報の関連付け或いは前記識別情報と前記使用者情報の関連付けの解除を行うことを特徴とする入退室管理装置。
【請求項１５】
前記撮影装置は前記カードリーダーモジュールの付近に設置され、前記使用者情報は使用者の顔面画像データであることを特徴とする請求項１４記載の入退室管理装置。
【請求項１６】
前記撮影装置は前記管理ゲートの付近に設置され、前記使用者情報は使用者の顔面画像データであることを特徴とする請求項１４記載の入退室管理装置。
【発明の詳細な説明】
【技術分野】
【０００１】
本発明は、データの関連付けと解除を管理する入退室管理システム構造に関し、特に、時間的な連続性と空間的な限定性を利用した複数要素を同期し管理することが可能な入退室管理システム構造に関する。
【背景技術】
【０００２】
建物を出入りする人を最も効率よく管理する方法として、出入り口に入退室管理システムを設置する方法がある。研究機関を例にとると、実験室内の研究成果を保護するため研究室の入口に入退室管理システムを設置し、研究員は専用の入退室カードを携帯し、実験室に入室する際に前記カードを前記入退室管理システムに接触あるいはかざすことで、機器がカードの情報を読み取り、実験室へ入室することが可能となる。前述のシステムの欠点は、研究員が前記カードを紛失した場合、その前記カードを拾った者が自由に実験室に入室できてしまうことである。
【０００３】
上述の欠点を補うため、既に多くの技術が開発され公開されている。アメリカ特許公告６，７４４，４６２”Ａｐｐａｒａｔｕｓ  ａｎｄ  ｍｅｔｈｏｄｓ  ｆｏｒ  ｒｅｓｏｌｕｔｉｏｎ  ｏｆ  ｅｎｔｒｙ／ｅｘｉｔ  ｃｏｎｆｌｉｃｔｓ  ｆｏｒ  ｓｅｃｕｒｉｔｙ  ｍｏｎｉｔｏｒｉｎｇ  ｓｙｓｔｅｍｓ”（以下、特許文献１とする）では、出入りする人物の写真を撮り、特定の顔認識ソフトによって画像を分析し、入退室者の身分確認を行う方法が提案されている。
【０００４】
アメリカ特許公告７，９８６，８１６”Ｍｅｔｈｏｄｓ  ａｎｄ  ｓｙｓｔｅｍｓ  ｆｏｒ  ｍｕｌｔｉｐｌｅ  ｆａｃｔｏｒ  ａｕｔｈｅｎｔｉｃａｔｉｏｎ  ｕｓｉｎｇ  ｇａｚｅ  ｔｒａｃｋｉｎｇ  ａｎｄ  ｉｒｉｓ  ｓｃａｎｎｉｎｇ”（以下、特許文献２とする）では、特許文献１とは異なる方法を提案している。特許文献２の技術的特徴は、カメラで人間の眼球を撮影し、虹彩と眼球運動を検知している。人間はそれぞれ異なる虹彩と独特の眼球運動を持っているため、眼球検知等の認証を済ませ、管理センターの許可を得た人物のみが入退室することができる。このような技術は眼球運動を検知し記録する演算法に重きを置いている。
【０００５】
引用文献１および引用文献２は、いずれも入退室管理システムの安全性の改善および強化を目的とする、それぞれ異なる技術を提案したものだが、眼球検知技術を利用した引用文献２に係る発明はシステムの安全性を飛躍的に高めるものである。カードによる認証、顔認識システム、眼球運動検知技術はいずれも合理的な方法であり一定の効果をもたらすものであるが、カードによる認証方式の欠点は、カードをチェックするのみであり所持者をチェックするものではなく、カード所持者であれば誰であろうとも入退室できるところにある。引用文献２に利用される眼球運動検知技術は、特定の設備を準備することで導入することが可能であり、認証精度が高いという利点があるが、もし一棟の建物に数百の出入り口があり、全ての出入り口に導入するとなった場合、そのコストは計り知れない。また、前述の装置或いは現在ある入退室管理技術はいずれも、管理センターにて事前にカード或いは使用者のデータと人物の対応関係を登録する必要があり、登録を終えてから入退室の管理を行うことができるようになる。よって、使用できるようになるまでの準備に時間がかかり、即時の対応ができないため、入退室管理システムとしては不完全なものである。以上が現在ある管理システムにおいて長年懸念され解決されていない問題である。
【先行技術文献】
【特許文献】
【０００６】
【特許文献１】アメリカ特許公告６，７４４，４６２
【特許文献２】アメリカ特許公告７，９８６，８１６
【発明の概要】
【発明が解決しようとする課題】
【０００７】
そこで、本発明は、従来の入退室管理システムの欠点を解決することのできる、カードと人物を関連付けし、時間的遅延なく同期でき、空間的な限定性を利用した入退室管理システム構造を提供する。
【課題を解決するための手段】
【０００８】
上述の課題を解決するための本発明の一つの特徴に従った入退室管理システム構造は、入退室管理装置と、外部の人員管理センターシステムと、を含み、識別情報を有する身分管理カードを使用者に携帯させ、組み合わせて使用することで管理ゲートの開閉を制御できることを特徴とする。前記入退室管理装置は、前記身分管理カードの前記識別情報を読み取るカードリーダーモジュールと、前記カードリーダーモジュールから前記識別情報を読み取る際に使用者を撮影し使用者情報を取得する撮影装置と、前記カードリーダーモジュールと前記撮影装置と電気的に接続される情報送受信モジュールと、を備え、前記情報送受信モジュールは前記識別情報と前記使用者情報を前記人員管理センターシステムに送信する。前記人員管理センターシステムは前記識別情報と前記使用者情報を関係付け、或いは前記識別情報と前記使用者情報の関係付けを解除する。
【０００９】
前記人員管理センターシステムは人物とカードの関連付け登録処理を行うことができ、それにより前記識別情報と前記使用者情報を関連付けることができる。前記管理ゲートは一度に一人のみが通ることのできる管理ゲートである。
【００１０】
前記人員管理センターシステムは人物とカードの関連付け解除退出処理を行うことができ、それにより前記識別情報と前記使用者情報の関連付けを解除することができる。
【００１１】
前記撮影装置は前記カードリーダーモジュールの付近に設置される。または、前記撮影装置は前記管理ゲートの付近に設置される。
【００１２】
前記使用者情報は使用者の顔面画像データである。
【００１３】
前記入退室管理装置は更に警告モジュールを備える。前記識別情報と前記使用者情報が関連付けされていない場合、警告信号を発する。
【００１４】
本発明に係る入退室管理装置は、使用者が携帯する身分管理カードと外部の人員管理センターシステムを組み合わせることで作動し、それにより管理ゲートの開閉を制御する。前記身分管理カードは前記管理ゲートに対応する識別情報を有する。前記入退室管理装置はカードリーダーモジュールと、撮影装置と、情報送受信モジュールと、を備える。前記カードリーダーモジュールは前記身分管理カードの前記識別情報を読み取る。前記カードリーダーモジュールが前記識別情報を読み取った際、前記撮影装置は使用者を撮影し使用者情報を取得する。前記情報送受信モジュールと前記カードリーダーモジュールと前記撮影装置は電気的に接続され、前記識別情報と前記使用者情報を前記人員管理センターシステムに送信する。これにより、前記人員管理センターシステムは前記識別情報と前記使用者情報を関連付け、或いは関連付けを解除することができる。
【００１５】
前記撮影装置は前記カードリーダーモジュールの付近に設置される。または、前記撮影装置は前記管理ゲートの付近に設置される。前記管理ゲートは一度に一人のみが通ることのできる管理ゲートである。
【００１６】
前記使用者情報は使用者の顔面画像データである。
【００１７】
前記入退室管理装置は更に警告モジュールを備える。前記識別情報と前記使用者情報が関連付けされていない場合、警告信号を発する。
【００１８】
前記入退室管理装置は更に、前記管理ゲートの開閉を制御するロック制御モジュールを備える。
【００１９】
本発明の入退室管理装置は、使用者が携帯する身分管理カードにより作動する。前記身分管理カードは前記管理ゲートに対応する前記識別情報を有する。前記入退室管理装置は、カードリーダーモジュールと、撮影装置と、情報送受信モジュールと、を備える。前記カードリーダーモジュールは前記識別情報読み取る。前記撮影装置は使用者が一度に一人のみが通ることのできる前記管理ゲートを通る際、使用者を撮影し使用者情報を取得する。前記情報送受信モジュールと前記カードリーダーモジュールと前記撮影装置は電気的に接続され、前記識別情報と前記使用者情報を外部の人員管理センターシステムに送信する。これにより前記識別情報と前記使用者情報が関連付けされ、或いは前記識別情報と前記使用者情報の関連付けが解除される。
【００２０】
前記撮影装置は前記カードリーダーモジュールの付近に設置される。または、前記撮影装置は前記管理ゲートの付近に設置される。前記使用者情報は使用者の顔面画像データである。
【発明の効果】
【００２１】
本発明に係る入退室管理システム構造は、管理ゲートの空間的な限定性を利用し、一度に一人のみを通すことで、装置が正確に使用者画像を取得できず、或いは強引に二人同時に通ろうとした際、装置は正確な情報を取得できなかったと判断し、管理ゲートの通行を拒否する。本発明に係る入退室管理システム構造が利用するゲートの空間的な限定性により、出入りする人員を有効かつ正確に管理することができ、偽造等を防ぐ効果もある。
【００２２】
本発明に係る入退室管理システム構造の更なる技術的特徴は、時間的遅延のないシームレスな処理動作にある。使用者が所持する身分管理カードを接触或いはかざした際、装置は同時に使用者情報を取得する。これは一瞬の撮影動作であるため偽称することが困難であるから、偽造防止にもなり、身分管理カードと使用者情報の関連付けの正確性と安全性を高めるものである。
【００２３】
本発明に係る技術は、従来のゲートシステムを変更することなく、更に安全で有効な人員入退室管理能力を備えることが可能となる。特に、人員の出入りが激しい時や、出入り口の数が多い公共の場、大型飛行場や高層ビル、ショッピングセンター、博物館やテーマパーク等の建築物においても、本発明に係る装置を利用することで、明確な利点を期待することができる。更に、従来の技術の問題である高いコストに比べ、本発明に係る装置のコストは合理的かつ市場競争力があり、独特な技術的特徴と産業上の利用可能性を見込めるものである。
【００２４】
本発明は従来の入退室管理システムで利用するカードを基礎として、時間的遅延がなく、動的に連続して顔面画像を撮影する技術を組み合わせることで、動的に人物とカードの関連付け或いは関連付けの解除を行うことができる。従来の技術である複雑な工程を踏む顔識別システムを利用することなく、また煩雑な登録事務処理を行う必要がない。更に撮影による時間的遅延のないシームレスな情報取得処理により、偽造防止の効果もある。
【００２５】
本発明に係る入退室管理システムで利用するカードは再利用することが可能であり、近年重視されるエコの概念にも合致するものである。また人員の流動効率に全く影響を与えることなく、更に事務手続き等を全く増加させることなく複数管理を可能にし、自動で人物とカードの関連付けと解除を行う設計である。
【００２６】
本発明に係るシステムは今後の需要に応じて機能を増加させることができる。
【００２７】
本発明に係る入退室管理システムは使用者にとって、使用方法が従来のものと同じであり、更に従来のシステムはバックグラウンドシステムでの認証と使用者登録作業が必要であることと比べると、より操作が簡易で迅速になったと言える。
【００２８】
本発明に係る入退室管理装置は、人員管理センターシステムと組み合わせて作動させることで、人員の通行量計算や所在地計算を正確に行うことができ、また偽造を防止する効果もある。
【００２９】
本発明に係る入退室管理装置は、識別情報を読み取るカードリーダーモジュールと、使用者を撮影し使用者情報を取得する撮影装置と、情報送受信モジュールと、を備え、前記情報送受信モジュールは識別情報と使用者情報を外部の人員管理センターシステムに送信することで、識別情報と使用者情報の関連付けを行い、または関連付けを解除することができる。
【図面の簡単な説明】
【００３０】
【図１】本発明の実施例に従った入退室管理装置を示す説明図である。
【図２】本発明の実施例に従った入退室管理装置の使用を示す説明図である。
【図３】本発明の実施例に従った入退室管理システム構造を示す説明図である。
【図４】本発明の実施例に従った入退室管理システム構造の組み合わせを示す説明図である。
【発明を実施するための形態】
【００３１】
添付の図面を参照しながら、本発明の実施例について以下に説明する。
【実施例】
【００３２】
図１は本発明の実施例に従った入退室管理装置を示す説明図であり、図２は本発明の実施例に従った入退室管理装置の使用を示す説明図である。本発明に係る入退室管理システム構造の入退室管理装置１００の構造は従来の入退室管理装置と同じである。使用者は身分管理カード３００を持って入退室管理装置１００の片側にあるカードリーダーモジュール１１０に接触或いはかざすことで、同時に撮影装置１１１が使用者を撮影し使用者情報を取得する。カード所持者の身分情報と身分管理カード３００の情報が一致したとき、管理ゲート４００が開き通行可能となる。もし初めてゲートを通る場合は、人員管理センターシステム２００は身分管理カード３００とカード所持者の顔面画像データの関連付けを行い登録処理を行う。その後使用者が異なる管理ゲートを通る際、人員管理センターシステム２００は逐一識別情報とカード所持者の顔面画像データを照合する。もし最後の使用、あるいはその場所を立ち去る場合、人員管理センターシステム２００は識別情報とカード所持者の顔面画像データの照合を行い、更に識別情報とカード所持者の画像の関連付けを解除する。この時身分管理カードは回収し再利用することができる。撮影装置１１１はカードリーダーモジュール１１０に埋め込みレンズを露出させる等、カードリーダーモジュール１１０の付近に設置することができる。使用者が身分管理カード３００をカードリーダーモジュール１１０に接触或いはかざした時、撮影装置１１１の前記レンズが使用者の顔面画像データを取得する。或いは撮影装置１１１を天井に設置することでも、使用者の顔面画像データを取得することができる。もし正確な角度で撮影が行えず、或いは鮮明な顔面画像データが撮影できなかったとき、正確な使用者の画像が取得できるまで使用者が通行するのを拒否するよう装置を設計することが可能である。
【００３３】
図３は本発明の実施例に従った入退室管理システム構造５００を示す説明図であり、図４は本発明の実施例に従った入退室管理システム構造５００と人員管理センターシステム２００との組み合わせを示す説明図である。人員管理センターシステム２００はサーバである。入退室管理装置１００はそれぞれ互いに電気的に接続され、或いは直接接続されるカードリーダーモジュール１１０と、撮影装置１１１と、制御モジュール１１２と、情報送受信モジュール１１３と、ロック制御モジュール１１４と、警告モジュール１１５と、を備える。カードリーダーモジュール１１０は身分管理カード３００の識別情報を読み取る。撮影装置１１１は使用者を撮影し、使用者の顔面画像データ等の使用者情報を取得する。情報送受信モジュール１１３は人員管理センターシステム２００に識別情報や使用者情報等の情報と指令信号を送信する。ロック制御モジュール１１４は人員管理センターシステム２００の指令信号により作動し、管理ゲート４００を開いたり閉じた状態を維持したりすることができる。警告モジュール１１５は人員管理センターシステム２００の指令信号により作動し、例えば識別情報と使用者情報が関連付けされた情報と合致しないときに警告信号を発する。制御モジュール１１２は前述のモジュール等と接続され、信号の送信を制御する。
【００３４】
入退室管理システム構造５００は、一度に一人のみが通ることのできる管理ゲートである。一度に一人のみが通ることのできるようにする仕組みとして、地下鉄の改札のような空間的な限定が挙げられる。乗客は改札を通る際に切符を所持した一人のみ通行することが可能である。或いは映画館のようなゲートが複数人でも通れるほどの広さを持つ場合であっても、通常であれば観客を一列に並ばせ、やはりチケット一枚に対し一人のみが通れる状況にするのが常である。つまり、本発明に係る装置を使用する際、空間的な限定または規定上の限定により、チケットやカードのような通行証一つに対し一人のみを通す状況を作ることで、一度に一人のみが通ることのできる管理ゲートを実現するものであり、ゲートの大きさを限定するものではない。
【００３５】
人員管理センターシステム２００は有線或いは無線接続により入退室管理装置１００と互いに情報、指令や各種信号を送受信する。人員管理センターシステム２００は入退室管理装置１００から送られる識別情報と使用者情報を保存し、これらの情報の関連付けと登録処理を行う。これにより識別情報と使用者情報が関連付けされる。また、関連付け解除処理をすることで識別情報と使用者情報の関連付けが解除される。人員管理センターシステム２００は識別情報と使用者情報の内容が一致するかを確認し、もし一致した場合は使用者が正常であると判断し、ロック制御モジュール１１４に指令を発することでロック制御モジュール１１４が管理ゲート４００を開く。一致しなかった場合は管理ゲート４００の閉じた状態を維持し、更に警告信号を発し注意を促す。人員管理センターシステム２００は更に使用者情報に対し分析を行い、使用者の特徴を取得する。これにより迅速に使用者の身分や使用者の所在地を確認することができる。
【００３６】
本発明の動作方法を例示する。使用者は身分管理カード３００を携帯し、入退室管理装置１００の片側にあるカードリーダーモジュール１１０に接触或いはかざした時、カードリーダーモジュール１１０は身分管理カード３００の識別情報を読み取り、制御モジュール１１２へ送信する。カードリーダーモジュール１１０は識別情報を読み取る前に事前に制御モジュール１１２へ通知を行い、制御モジュール１１２はカードリーダーモジュール１１０の通知を受け取った際、撮影装置１１１を制御し使用者の顔面画像データ等の使用者情報を撮影し、使用者情報は制御モジュール１１２へと送信される。そして制御モジュール１１２は識別情報と使用者情報の整合を行った後、情報送受信モジュール１１３を通じて人員管理センターシステム２００へと送信する。
【００３７】
人員管理センターシステム２００は識別情報、使用者情報、識別情報と使用者情報の対応関係を保存するデータベースを有する。人員管理センターシステム２００が入退室管理装置１００から使用者情報と識別情報を受け取った時、データベースを利用しこれらの情報の関連付けが既に存在するか、正確であるかを確認する。関連付けが存在しない時は初めて使用されたと判断し、人員管理センターシステム２００はこれらの情報の関連付けを行い、情報をデータベース内に保存し、入退室管理装置１００に管理ゲート４００を開く指令を送信する。入退室管理装置１００のロック制御モジュール１１４は情報送受信モジュール１１３を通じて制御モジュール１１２から管理ゲート４００を開く指令を受け取った時、管理ゲート４００を開く。これにより通行可能となる。従来の登録事務等を省略することで、操作の簡易化と情報の同期が可能となる。同様に、関連付けが存在する時、人員管理センターシステム２００は入退室管理装置１００に管理ゲート４００を開く指令を送信し、これにより管理ゲート４００は開く。しかし例えばデータベース内に保存されている識別情報に関連付けされた使用者情報と入退室管理装置１００から送られてきた使用者情報が一致しない等、関連付け情報との照合の結果が不正確であった時、警告指令を入退室管理装置１００に送信する。この時ロック制御モジュール１１４はゲートを閉じた状態を維持することで、通行を拒否する。同時に、入退室管理装置１００の警告モジュールが情報送受信モジュール１１３を通じて制御モジュール１１２から警告指令を受け取った時、警告信号を発し、カード使用者や周囲にいる警備員等の注意を促す。
【００３８】
入退室管理装置１００は固有の識別番号と位置情報を持っており、それらは人員管理センターシステム２００に保存される。それぞれの入退室管理装置１００は識別情報と使用者情報を送信する際、前記識別番号も一緒に送信する。これにより、人員管理センターシステム２００は情報を受信したときに、どの入退室管理装置１００から送られてきたものかを確認することができ、その後の分析と管理にも利用できる。
【００３９】
また、異なる場所に設置される入退室管理装置１００は、それぞれに入室専用または退室専用、或いは同じ公共の場内の異なる場所への出入り口といった設定を行うことができる。これらの情報もまた人員管理センターシステム２００に保存される。もし入退室カードが一度のみ使用できるカードであると設定されている時、カード所持者は入口専用ゲートを通る際に人員管理センターシステム２００は識別情報と使用者情報の関連付けを行い、出口専用ゲートを通る際に人員管理センターシステム２００は識別情報と使用者情報の関連付けを解除する。これにより入退室カードは再利用することができ、また他人に二重使用されることを防ぐ。入退室カードが二日使用できる等の期間の設定がされている時、その使用期間情報もまた人員管理センターシステム２００に保存される。カード所持者が初めて入口専用ゲートを通る時、人員管理センターシステム２００は識別情報と使用者情報の関連付けを行い、同時に初めて使用された時間を記録する。その後、出口専用ゲートを通る際、人員管理センターシステム２００は管理ゲート４００を開くと同時に、使用期間と初めて使用された時間の確認を行い、残りの使用期間を確認する。もし残りの使用期間が無くなった場合、識別情報と使用者情報の関連付けを解除する。
【００４０】
上述において、本発明の説明の利便性のために最良の実施例を挙げて説明したが、これらの実施例は本発明の請求の範囲を限定するものではなく、本発明に基づく本発明の要旨を逸脱しないあらゆる変更は本発明の請求の範囲に含まれる。
【符号の説明】
【００４１】
１００      入退室管理装置
１１０      カードリーダーモジュール
１１１      撮影装置
１１２      制御モジュール
１１３      情報送受信モジュール
１１４      ロック制御モジュール
１１５      警告モジュール
２００      人員管理センターシステム
３００      身分管理カード
４００      管理ゲート
５００      入退室管理システム構造
【図１】
2013214276.tif 000003
【図２】
2013214276.tif 000004
【図３】
2013214276.tif 000005
【図４】
2013214276.tif 000006